(57)【要約】【課題】支持部に対して取り付け及び取り外し可能であり、支持部に取り付けられることで該支持部に支持される媒体を押さえる押さえ部を好適に保持する。【解決手段】媒体に印刷を行う印刷部７と、印刷部７によって印刷が行われる媒体を支持する支持部２と、支持部２に対して取り付け及び取り外し可能であり、支持部２に取り付けられることで該支持部２に支持される媒体を押さえる押さえ部１０と、支持部２から取り外された状態の押さえ部１０を保持可能な保持部１３と、を備え、保持部１３は、押さえ部１０が載置される第１部分１３１と、第１部分１３１よりも保持部１３の先端側に位置し、第１部分１３１よりも鉛直方向における上側に位置する第２部分１３２と、を有する印刷装置１。【選択図】図１２
2019064104.tif 000002
【特許請求の範囲】
【請求項１】
媒体に印刷を行う印刷部と、
前記印刷部によって印刷が行われる前記媒体を支持する支持部と、
前記支持部に対して取り付け及び取り外し可能であり、前記支持部に取り付けられることで該支持部に支持される前記媒体を押さえる押さえ部と、
前記支持部から取り外された状態の前記押さえ部を保持可能な保持部と、を備え、
前記保持部は、
前記押さえ部が載置される第１部分と、
前記第１部分よりも前記保持部の先端側に位置し、前記第１部分よりも鉛直方向における上側に位置する第２部分と、を有することを特徴とする印刷装置。
【請求項２】
請求項１に記載の印刷装置において、
前記保持部を複数備えていることを特徴とする印刷装置。
【請求項３】
請求項２に記載の印刷装置において、
前記保持部同士の間隔を変更可能に構成されていることを特徴とする印刷装置。
【請求項４】
請求項１から３のいずれか１項に記載の印刷装置において、
前記保持部は、前記印刷装置から取り外し可能に構成されていることを特徴とする印刷装置。
【請求項５】
請求項４に記載の印刷装置において、
前記支持部は、前記媒体がセットされるセット位置を移動範囲に含むように移動可能に構成されており、
前記保持部は、前記支持部が前記セット位置に位置しているとき、前記支持部によって前記印刷装置からの取り外しが妨げられる位置に取り付けられていることを特徴とする印刷装置。
【請求項６】
請求項１から５のいずれか１項に記載の印刷装置において、
向きの異なる２つの面を有し、前記保持部が取り付けられている取り付け部を備え、
前記保持部は、前記２つの面と接触する第３部分を有することを特徴とする印刷装置。
【請求項７】
請求項１から６のいずれか１項に記載の印刷装置において、
前記支持部は、前記媒体がセットされるセット位置を移動範囲に含むように移動可能に構成されており、
前記保持部は、前記支持部の移動方向における前記印刷装置の前記セット位置側の端部に取り付けられていることを特徴とする印刷装置。
【請求項８】
媒体に印刷を行う印刷部と、
前記印刷部によって印刷が行われる前記媒体を支持する支持部と、
前記支持部に対して取り付け及び取り外し可能であり、前記支持部に取り付けられることで該支持部に支持される前記媒体を押さえる押さえ部と、
第１部分と、前記第１部分よりも先端側に位置し、前記第１部分よりも鉛直方向における上側に位置する第２部分と、を有する保持部と、を備える印刷装置における前記押さえ部の保持方法であって、
前記支持部から取り外された状態の前記押さえ部を前記第１部分に載置させて前記押さえ部を保持することを特徴とする押さえ部の保持方法。
【発明の詳細な説明】
【技術分野】
【０００１】
本発明は、印刷装置及び押さえ部の保持方法に関する。
【背景技術】
【０００２】
従来から、様々な構成の印刷装置が使用されている。このような印刷装置のうち、例えば、支持部に支持された媒体に対して印刷を行うことが可能な印刷装置が使用されている。  
例えば、特許文献１には、セットトレイなどを有する支持部に支持された被捺染材（媒体）を枠部（押さえ部）で押さえて該被捺染材に対して印刷を行うことが可能なインクジェット捺染装置（印刷装置）が開示されている。
【先行技術文献】
【特許文献】
【０００３】
【特許文献１】特開２０１３−２２１２２９号公報
【発明の概要】
【発明が解決しようとする課題】
【０００４】
特許文献１に開示されるインクジェット捺染装置において、枠部は支持部に対して取り付け及び取り外し可能であるが、該枠部を取り外した状態において、これを好適に保持するためには任意の保持スペースを用意する必要があった。用意した保持スペースが適切な状態で無かった場合、枠部が落下したり、枠部を紛失したりするおそれもあった。このように、支持部に対して取り付け及び取り外し可能であり、支持部に取り付けられることで該支持部に支持される媒体を押さえる押さえ部を備える従来の印刷装置においては、該押さえ部を好適に保持することに対する負荷がかかっていた。
【０００５】
そこで、本発明は、支持部に対して取り付け及び取り外し可能であり、支持部に取り付けられることで該支持部に支持される媒体を押さえる押さえ部を好適に保持することを目的にする。
【課題を解決するための手段】
【０００６】
上記課題を解決するための本発明の第１の態様の印刷装置は、媒体に印刷を行う印刷部と、前記印刷部によって印刷が行われる前記媒体を支持する支持部と、前記支持部に対して取り付け及び取り外し可能であり、前記支持部に取り付けられることで該支持部に支持される前記媒体を押さえる押さえ部と、前記支持部から取り外された状態の前記押さえ部を保持可能な保持部と、を備え、前記保持部は、前記押さえ部が載置される第１部分と、前記第１部分よりも前記保持部の先端側に位置し、前記第１部分よりも鉛直方向における上側に位置する第２部分と、を有することを特徴とする。
【０００７】
本態様によれば、支持部から取り外された状態の押さえ部を保持可能な保持部を備え、該保持部は、押さえ部が載置される第１部分と、第１部分よりも保持部の先端側に位置し、第１部分よりも鉛直方向における上側に位置する第２部分と、を有する。このため、押さえ部を保持部に保持させることができるとともに、該保持部を第１部分に載置させて第２部分で保持部から押さえ部が外れないようにガードすることで、押さえ部を好適に保持する（落下や紛失等を抑制する）ことができる。
【０００８】
本発明の第２の態様の印刷装置は、前記第１の態様において、前記保持部を複数備えていることを特徴とする。
【０００９】
本態様によれば、保持部を複数備えているので、複数の保持部で特に確りと押さえ部を保持することができる。また、支持部及び押さえ部が複数の大きさのうち何れかの大きさのものに交換可能な構成において、複数の保持部により、複数の大きさの押さえ部に対応することができる。
【００１０】
本発明の第３の態様の印刷装置は、前記第２の態様において、前記保持部同士の間隔を変更可能に構成されていることを特徴とする。
【００１１】
本態様によれば、保持部同士の間隔を変更可能に構成されているので、支持部及び押さえ部が複数の大きさのうち何れかの大きさのものに交換可能な構成において、保持部同士の間隔を変更することで、複数の大きさの押さえ部に対応することができる。
【００１２】
本発明の第４の態様の印刷装置は、前記第１から第３のいずれか１つの態様において、前記保持部は、前記印刷装置から取り外し可能に構成されていることを特徴とする。
【００１３】
本態様によれば、保持部は印刷装置から取り外し可能に構成されているので、保持部が不要になったときや保持部を交換するときなどに、保持部を容易に取り外すことができる。
【００１４】
本発明の第５の態様の印刷装置は、前記第４の態様において、前記支持部は、前記媒体がセットされるセット位置を移動範囲に含むように移動可能に構成されており、前記保持部は、前記支持部が前記セット位置に位置しているとき、前記支持部によって前記印刷装置からの取り外しが妨げられる位置に取り付けられていることを特徴とする。
【００１５】
本態様によれば、保持部は、支持部がセット位置に位置しているとき、支持部によって印刷装置からの取り外しが妨げられる位置に取り付けられている。このため、媒体がセットされる際に、セット作業を行っているユーザーがぶつかるなどの外的要因などによって、不意に保持部が外れてしまうことを抑制できる。
【００１６】
本発明の第６の態様の印刷装置は、前記第１から第５のいずれか１つの態様において、向きの異なる２つの面を有し、前記保持部が取り付けられている取り付け部を備え、前記保持部は、前記２つの面と接触する第３部分を有することを特徴とする。
【００１７】
本態様によれば、保持部は、向きの異なる取り付け部の２つの面と接触する第３部分を有する。このように２つの面と接触した状態で保持部が取り付け部に取り付けられていることで、ユーザーがぶつかるなどの外的要因などによって、保持部が変形することを抑制できる。
【００１８】
本発明の第７の態様の印刷装置は、前記第１から第６のいずれか１つの態様において、前記支持部は、前記媒体がセットされるセット位置を移動範囲に含むように移動可能に構成されており、前記保持部は、前記支持部の移動方向における前記印刷装置の前記セット位置側の端部に取り付けられていることを特徴とする。
【００１９】
本態様によれば、保持部は支持部の移動方向における印刷装置のセット位置側の端部に取り付けられているので、媒体のセット位置近傍で押さえ部を保持することができ、媒体のセット作業を行い易くすることができる。
【００２０】
本発明の第８の態様の押さえ部の保持方法は、媒体に印刷を行う印刷部と、前記印刷部によって印刷が行われる前記媒体を支持する支持部と、前記支持部に対して取り付け及び取り外し可能であり、前記支持部に取り付けられることで該支持部に支持される前記媒体を押さえる押さえ部と、第１部分と、前記第１部分よりも先端側に位置し、前記第１部分よりも鉛直方向における上側に位置する第２部分と、を有する保持部と、を備える印刷装置における前記押さえ部の保持方法であって、前記支持部から取り外された状態の前記押さえ部を前記第１部分に載置させて前記押さえ部を保持することを特徴とする。
【００２１】
本態様によれば、押さえ部を保持部に保持させることができるとともに、該保持部を第１部分に載置させて第２部分で保持部から押さえ部が外れないようにガードすることで、押さえ部を好適に保持する（落下や紛失等を抑制する）ことができる。
【図面の簡単な説明】
【００２２】
【図１】本発明の実施例１に係る印刷装置を表す概略斜視図。
【図２】本発明の実施例１に係る印刷装置を表す概略斜視図。
【図３】本発明の実施例１に係る印刷装置を表す概略正面図。
【図４】本発明の実施例１に係る印刷装置を表す概略平面図。
【図５】本発明の実施例１に係る印刷装置の要部を表す概略斜視図。
【図６】本発明の実施例１に係る印刷装置の要部を表す概略斜視拡大図。
【図７】本発明の実施例１に係る印刷装置の要部を表す概略側面図。
【図８】本発明の実施例１に係る印刷装置の要部を表す概略側面断面図。
【図９】本発明の実施例１に係る印刷装置の要部を表す概略斜視図。
【図１０】本発明の実施例１に係る印刷装置の要部を表す概略斜視図。
【図１１】本発明の実施例１に係る印刷装置の要部を表す概略側面図。
【図１２】本発明の実施例１に係る印刷装置の要部を表す概略斜視図。
【図１３】本発明の実施例１に係る印刷装置の要部を表す概略側面図。
【図１４】本発明の実施例１に係る印刷装置の要部を表す概略斜視図。
【図１５】本発明の実施例１に係る印刷装置の要部を表す概略斜視図。
【図１６】本発明の実施例１に係る印刷装置の要部を表す概略斜視図。
【図１７】本発明の実施例２に係る印刷装置の要部を表す概略斜視拡大図。
【図１８】本発明の実施例３に係る印刷装置の要部を表す概略斜視拡大図。
【図１９】本発明の実施例４に係る印刷装置を表す概略斜視図。
【発明を実施するための形態】
【００２３】
以下に、本発明の一実施例に係る印刷装置１について、添付図面を参照して詳細に説明する。  
［実施例１］（図１〜図１６）  
図１は本実施例に係る印刷装置１の概略斜視図であり、支持部としての媒体支持ユニット２が印刷開始位置にある状態を表している。また、図２は本実施例に係る印刷装置１の概略斜視図であり、媒体支持ユニット２が媒体のセット位置にある状態を表している。また、図３は本実施例の印刷装置１の概略正面図である。そして、図４は本実施例の印刷装置１の概略平面図であり、媒体支持ユニット２が媒体のセット位置にある状態を表している。なお、図１から図４のいずれも、本実施例の印刷装置１の要部である保持部１３を取り外した状態であって、一部の構成部材を簡略化した状態を表している。ここで、印刷開始位置とは、媒体への印刷が開始される際の媒体支持ユニット２のスタート位置であり、セット位置とは、媒体支持ユニット２に媒体をセットする際の媒体支持ユニット２の停止位置である。
【００２４】
本実施例の印刷装置１は、支持部としての媒体支持ユニット２を備えている。媒体支持ユニット２は、トレイ４を備えており、トレイ４は、媒体を支持する支持面８を有している。そして、媒体支持ユニット２は、媒体をトレイ４の支持面８で支持させて、トレイ４に支持された媒体を押さえ部としての枠部１０によって押さえた状態で移動方向Ａに移動する。  
また、印刷装置１は、トレイ４に支持された媒体を移動方向Ａに搬送する媒体搬送部３を備えている。移動方向Ａは、方向Ａ１と、方向Ａ１と反対方向の方向Ａ２と、を含む方向である。
【００２５】
また、トレイ４はステージ５に着脱可能に載置されている。ここで、トレイ４のステージ５に対する着脱方向Ｃは、本実施例の印刷装置１では鉛直方向である。トレイ４は、レバー９を回転させることにより、ステージ５と共に着脱方向Ｃに沿う方向（鉛直方向）に移動する。なお、図３で表されるように、レバー９は、アーム部１１に設けられている。また、媒体としては、テキスタイル（織物、布等）、紙、塩化ビニル樹脂など、種々の素材のものを用いることができる。
【００２６】
また、印刷装置１の本体内部には、液体の一例としてのインクを、不図示のノズルから吐出して、媒体に印刷を行う（画像を形成する）ことが可能な印刷部としての印刷ヘッド７が備えられている。そして、本実施例の印刷装置１は、印刷ヘッド７を保持するキャリッジ６を移動方向Ａと交差する走査方向Ｂに往復移動させることで、印刷ヘッド７を走査方向Ｂに往復移動させながら、印刷ヘッド７からトレイ４に支持された媒体にインクを吐出させて所望の画像を形成する。  
なお、本実施例の印刷装置１は、図１の手前側（左下方向）がトレイ４への媒体のセット位置である（図２及び図４参照）。そして、図１の奥側（右上方向）の吐出開始位置まで、移動方向Ａのうちの方向Ａ１に媒体をセットしたトレイ４を移動した後、移動方向Ａのうちの方向Ａ２にトレイ４を移動しながら印刷を行う。
【００２７】
また、図１で表されるように、本実施例の印刷装置１は、媒体搬送部３の手前側部分（別の表現をすると、筐体部１６における手前側部分）に、媒体支持ユニット２（トレイ４）から取り外した枠部１０を保持可能な保持部１３（図５〜図１６参照）を取り付ける取り付け部１２（取り付け部１２ａ）が形成されている。
【００２８】
以下に、取り付け部１２及び保持部１３について説明する。  
ここで、図５は、本実施例の印刷装置１の要部である保持部１３が取り付けられた取り付け部１２ａの周辺部を表す概略斜視図である。また、図６は、保持部１３が取り付けられた状態の本実施例の取り付け部１２ａを表す概略斜視拡大図である。  
また、図７は、本実施例の印刷装置１における保持部１３が取り付けられた取り付け部１２ａの周辺部を表す概略側面図である。また、図８は、保持部１３が取り付けられた状態の本実施例の取り付け部１２ａを表す概略側面断面図である。  
また、図９は、保持部１３が取り付けられた状態の本実施例の取り付け部１２ａの周辺部を表す概略斜視図であり、保持部１３を取り付ける際及び取り外す際の状態を表している。  
また、図１０は、保持部１３が取り付けられた状態の本実施例の取り付け部１２ａの周辺部を表す概略斜視図であり、媒体支持ユニット２がセット位置に位置している状態を表している。また、図１１は、保持部１３が取り付けられた状態の本実施例の取り付け部１２ａの周辺部を表す概略側面図であり、媒体支持ユニット２がセット位置に位置している状態を表している。  
また、図１２は、保持部１３に枠部１０ａが保持された状態の本実施例の取り付け部１２ａの周辺部を表す概略斜視図である。また、図１３は、保持部１３に枠部１０ａが保持された状態の本実施例の取り付け部１２ａの周辺部を表す概略側面図である。また、図１４は、保持部１３に枠部１０ｂが保持された状態の本実施例の取り付け部１２ａの周辺部を表す概略斜視図である。また、図１５は、保持部１３に枠部１０ｃが保持された状態の本実施例の取り付け部１２ａの周辺部を表す概略斜視図である。また、図１６は、保持部１３に枠部１０ｄが保持された状態の本実施例の取り付け部１２ａの周辺部を表す概略斜視図である。
【００２９】
図５から図１６で表されるように、本実施例の印刷装置１は、媒体搬送部３の位置における筐体部１６に取り付け部１２（取り付け部１２ａ）が形成されており、該取り付け部１２に保持部１３が取り付けられている。  
そして、保持部１３は、図７、図１１及び図１３などで表されるように、第１部分１３１と、第１部分１３１よりも保持部１３の先端側に位置し、該第１部分１３１よりも鉛直方向における上側に位置する第２部分１３２と、第１部分１３１よりも保持部１３の後端側に位置し、該第１部分１３１よりも鉛直方向における上側に位置する第３部分１３３と、を備えている。  
ここで、「先端側」とは保持部１３における印刷装置１に取り付ける側とは反対側、「後端側」とは保持部１３における印刷装置１に取り付ける側を意味する。
【００３０】
ここで、一旦まとめると、本実施例の印刷装置１は、媒体に印刷を行う印刷ヘッド７と、印刷ヘッド７によって印刷が行われる媒体を支持する媒体支持ユニット２と、媒体支持ユニット２に対して取り付け及び取り外し可能であり、媒体支持ユニット２に取り付けられることで該媒体支持ユニット２に支持される媒体を押さえる枠部１０と、媒体支持ユニット２から取り外された状態の枠部１０を保持可能な保持部１３と、を備えている。  
そして、保持部１３は、図１３などで表されるように、枠部１０が載置される第１部分１３１と、第１部分１３１よりも該保持部１３の先端側に位置し、第１部分１３１よりも鉛直方向における上側に位置する第２部分１３２と、を有している。  
このため、本実施例の印刷装置１は、枠部１０を保持部１３に保持させることができるとともに、該保持部１３を第１部分１３１に載置させて第２部分１３２で保持部１３から枠部１０が外れないようにガードすることで、枠部１０を好適に保持する（落下や紛失等を抑制する）ことができる構成になっている。
【００３１】
別の表現をすると、媒体に印刷を行う印刷ヘッド７と、印刷ヘッド７によって印刷が行われる媒体を支持する媒体支持ユニット２と、媒体支持ユニット２に対して取り付け及び取り外し可能であり、媒体支持ユニット２に取り付けられることで該媒体支持ユニット２に支持される媒体を押さえる枠部１０と、第１部分１３１と、第１部分１３１よりも先端側に位置し、第１部分１３１よりも鉛直方向における上側に位置する第２部分１３２と、を有する保持部１３と、を備える本実施例の印刷装置１を用いて、媒体支持ユニット２から取り外された状態の枠部１０を第１部分１３１に載置させて枠部１０を保持する押さえ部の保持方法を実行できる。  
このような押さえ部の保持方法を実行することで、枠部１０を保持部１３に保持させることができるとともに、該保持部１３を第１部分１３１に載置させて第２部分１３２で保持部１３から枠部１０が外れないようにガードすることで、枠部１０を好適に保持する（落下や紛失等を抑制する）ことができる。
【００３２】
また、本実施例の印刷装置１は、図５、図７、図９、図１１〜図１３などで表されるように、筐体部１６の取り付け部１２（取り付け部１２ａ）に、隣接する２つの面（面１４１及び面１４２）で構成される屈曲部分１４を有している。そして、図７、図１１及び図１３で表されるように、保持部１３はこの向きの異なる２つ（複数）の面１４１及び１４２と接触する第３部分１３３を有している。本実施例の印刷装置１は、このように向きの異なる２つの面１４１及び１４２と接触した状態で保持部１３が取り付け部１２に取り付けられていることで、ユーザーがぶつかるなどの外的要因などによって、保持部１３が変形することを抑制している。  
ここで、「向きの異なる２つの面…と接触した状態」とは、「少なくとも２つの面と接触した状態」であればよい意味であり、３つ以上の面と接触した状態であってもよい意味である。
【００３３】
また、上記のように、本実施例の媒体支持ユニット２は、媒体がセットされるセット位置を移動範囲に含むように移動可能に構成されており、また、図５、図７、図９〜図１６で表されるように、本実施例の保持部１３は、媒体支持ユニット２の移動方向Ａにおける印刷装置１のセット位置側の端部に取り付けられている。このため、本実施例の印刷装置１は、媒体のセット位置近傍で枠部１０を保持することができるようになっており、媒体をトレイ４にセットした後すぐに枠部１０で押さえることができ、媒体のセット作業が行い易くなっている。
【００３４】
また、本実施例の印刷装置１は、使用する媒体の大きさに合せて複数の大きさのトレイ４を使用可能な構成になっている。そして、複数の大きさのトレイ４に合せて複数の大きさの枠部１０（枠部１０ａ、枠部１０ｂ、枠部１０ｃ及び枠部１０ｄ）を使用可能な構成になっている。複数の枠部１０は、いずれも、２辺の長辺と２辺の短辺とで構成される矩形の形状をしている。このとき、印刷装置１に対して１度に使用するのは１種類のトレイ４及び枠部１０であり、ユーザーは、任意の大きさのトレイ４及び枠部１０を選択して使用する構成である。つまり、印刷装置１に対して、トレイ４及び枠部１０が複数の大きさのうち何れかの大きさのものに交換可能な構成となっている。  
また、本実施例の印刷装置１は、図５、図９、図１０、図１２、図１４〜図１６で表されるように、保持部１３を複数（２つ）備えている。  
このように、本実施例の印刷装置１は、保持部１３を複数備えているので、複数の保持部１３で特に確りと枠部１０を保持することができる構成になっている（図１２及び図１４参照）。また、トレイ４及び枠部１０が複数の大きさのうち何れかの大きさのものに交換可能な構成において、複数の保持部１３により、複数の大きさの枠部１０に対応することができる構成になっている（図１２〜図１６参照）。  
ここで、図１２及び図１３は、本実施例の印刷装置１で使用可能な枠部１０のうちの最も大きな枠部１０ａを保持する様子を表している。このとき、枠部１０ａは、枠部１０ａの短辺が複数の保持部１３に跨る形で、保持部１３に保持されている。また、図１４は、本実施例の印刷装置１で使用可能な枠部１０のうちの２番目に大きな枠部１０ｂを保持する様子を表している。このとき、枠部１０ｂは、枠部１０ｂの長辺が複数の保持部１３に跨る形で、保持部１３に保持されている。また、図１５は、本実施例の印刷装置１で使用可能な枠部１０のうちの３番目に大きな枠部１０ｃを保持する様子を表している。このとき、枠部１０ｃは、枠部１０ｃの１つのコーナー部分が、１つの保持部１３に引っ掛かる形で、保持部１３に保持されている。そして、図１６は、本実施例の印刷装置１で使用可能な枠部１０のうちの最も小さな枠部１０ｄを保持する様子を表している。このとき、枠部１０ｄは、枠部１０ｄの１つのコーナー部分が、１つの保持部１３に引っ掛かる形で、保持部１３に保持されている。  
このように、枠部１０の大きさによって、複数の保持部１３で枠部１０を保持する場合と、１つの保持部１３で枠部１０を保持する場合と、がある。また、枠部１０のどの部分が枠部１０に載置されるかも、枠部１０の大きさによって異なってくる。いずれの場合でも、枠部１０を安定的に保持できるような姿勢で、枠部１０を保持部１３に保持させることが好ましい。
【００３５】
また、本実施例の取り付け部１２ａは、図６及び図８で表されるように、筐体部１６に丸孔部１７を有している。そして、本実施例の保持部１３は、図８で表されるように、後端側に、屈曲部１３４、直線部１３５、屈曲部１３６及び直線状の後端部１３７を有している。本実施例の印刷装置１は、取り付け部１２ａ及び保持部１３がこのような構成となっていることで、図８で表されるように、丸孔部１７の保持部１３の後端側を挿入し、保持部１３における後端部１３７を筐体部１６における上面部１６１に接触（当接）させて、保持部１３を筐体部１６（取り付け部１２ａ）に取り付けることが可能な構成になっている。
【００３６】
なお、保持部１３は筐体部１６から取り外すことも可能である。保持部１３を筐体部１６から取り外す際は、図９で表されるように、保持部１３を筐体部１６に対して方向Ｄに移動（回動）させて上側に引き抜くことで、保持部１３を筐体部１６から取り外すことができる。
【００３７】
このように、本実施例の保持部１３は印刷装置１から取り外し可能に構成されているので、本実施例の印刷装置１は、保持部１３が不要になったときや保持部１３を交換するときなどに、保持部１３を容易に取り外すことができる（図１〜図４参照）。  
ただし、保持部１３の構成や該保持部１３を取り付ける取り付け部１２の構成はこのような構成に限定されない。例えば、保持部１３を筐体部１６に対して回動させて取り付け及び取り外しする構成以外の構成としてもよいし、保持部１３が筐体部１６から容易には取り外しできない構成などとしてもよい。また、保持部１３や該保持部１３を取り付ける取り付け部１２の形状や素材や大きさなども、実施例で挙げた構成に限定されるものではない。
【００３８】
ただし、保持部１３を筐体部１６からどのような状態でも自由に取り外すことができる構成にすると、予期しない時に保持部１３が筐体部１６から外れ、保持部１３を紛失することなどが生じ得る。そこで、本実施例の印刷装置１では、保持部１３は、媒体支持ユニット２がセット位置に位置しているとき、媒体支持ユニット２によって印刷装置１からの取り外しが妨げられる位置に取り付けられている。具体的には、図１０及び図１１で表されるように、媒体支持ユニット２がセット位置に位置しているとき、トレイ４からはみ出した媒体を受けることが可能な媒体受け部１５（図２参照）が保持部１３の方向Ｄへの移動の妨げとなるように構成されている。このため、本実施例の印刷装置１は、媒体がセットされる際に、セット作業を行っているユーザーがぶつかるなどの外的要因などによって、不意に保持部１３が外れてしまうことを抑制できる構成になっている。  
なお、保持部１３が媒体支持ユニット２によって印刷装置１からの取り外しが妨げられる位置に取り付けられている別の構成例としては、保持部１３がピンやネジなどで印刷装置１に固定され、媒体支持ユニット２がセット位置に位置しているとき該ピンやネジにアクセスできないように構成されている例などが挙げられる。具体的には、媒体支持ユニット２がセット位置に位置しているとき、媒体受け部１５などによってピンやネジが覆われる構成である。ただし、このような構成に限定されるものではない。
【００３９】
本実施例の印刷装置１は、保持部１３の印刷装置１に対する取り付け位置が決められている構成である。ただし、このような構成に限定されず、保持部１３の印刷装置１に対する取り付け位置が変更可能な構成であってもよい。  
以下に、保持部１３の印刷装置１に対する取り付け位置が変更可能な印刷装置１の例について説明する。
【００４０】
［実施例２］（図１７）  
図１７は、本実施例の印刷装置１の取り付け部１２（取り付け部１２ｂ）の周辺を表す概略斜視図である。なお、上記実施例１と共通する構成部材は同じ符号で示しており、詳細な説明は省略する。  
なお、本実施例の印刷装置１は、取り付け部１２の構成（走査方向Ｂに沿って複数の丸孔部１７が配列されていること）以外は、実施例１の印刷装置１と同様の構成である。
【００４１】
図１７で表されるように、本実施例の印刷装置１の取り付け部１２ｂには、走査方向Ｂに沿って複数の丸孔部１７が形成されている。そして、走査方向Ｂに沿って形成された複数の丸孔部１７のうち、任意の丸孔部１７に保持部１３を配置（取り付け）可能な構成になっている。このような構成であれば、２つの保持部１３は、走査方向Ｂにおける任意の位置にそれぞれ取り付けることができる。つまり、２つの保持部１３の間隔も任意の間隔に変更できることとなる。
【００４２】
別の表現をすると、本実施例の印刷装置１は、２つある保持部１３同士の間隔を変更可能に構成されている。このため、本実施例の印刷装置１は、複数の大きさのトレイ４及び枠部１０が複数の大きさのうち何れかの大きさのものに交換可能な構成において、保持部１３同士の間隔を変更することで、複数の大きさの枠部１０に対応することができる。具体的には、例えば、保持部１３同士の間隔を狭め、図１５や図１６で表されるような小さな枠部１０ｃや枠部１０ｄを２つの保持部１３で確りと保持することが可能である。
【００４３】
［実施例３］（図１８）  
図１８は、本実施例の印刷装置１の取り付け部１２（取り付け部１２ｃ）の周辺を表す概略斜視図である。なお、上記実施例１及び実施例２と共通する構成部材は同じ符号で示しており、詳細な説明は省略する。  
なお、本実施例の印刷装置１は、取り付け部１２の構成（丸孔部１７の代わりに走査方向Ｂに沿う溝部１８が形成されていること）以外は、実施例１及び実施例２の印刷装置１と同様の構成である。
【００４４】
図１８で表されるように、本実施例の印刷装置１の取り付け部１２ｃには、走査方向Ｂに沿う溝部１８が形成されている。そして、走査方向Ｂに沿って形成された溝部１８に沿って保持部１３を移動させることで、走査方向Ｂに沿う任意の位置に保持部１３を配置（取り付け）可能な構成になっている。このような構成であれば、２つの保持部１３は、走査方向Ｂにおける任意の位置にそれぞれ移動させることができる。つまり、２つの保持部１３の間隔も任意の間隔に変更できることとなる。
【００４５】
別の表現をすると、本実施例の印刷装置１も、実施例２の印刷装置１と同様、２つある保持部１３同士の間隔を変更可能に構成されている。このため、本実施例の印刷装置１は、複数の大きさのトレイ４及び枠部１０が複数の大きさのうち何れかの大きさのものに交換可能な構成において、保持部１３同士の間隔を変更することで、複数の大きさの枠部１０に対応することができる。具体的には、例えば、保持部１３同士の間隔を狭め、図１５や図１６で表されるような小さな枠部１０ｃや枠部１０ｄを２つの保持部１３で確りと保持することが可能である。
【００４６】
ところで、上記実施例１〜実施例３の印刷装置１は、媒体支持ユニット２の移動方向Ａにおける印刷装置１のセット位置側の端部に保持部１３が取り付けられている構成である。ただし、このような構成に限定されず、保持部１３の印刷装置１に対する取り付け位置は他の位置であってもよい。  
以下に、保持部１３の印刷装置１に対する取り付け位置が上記実施例１〜実施例３の印刷装置１とは異なる例について説明する。
【００４７】
［実施例４］（図１９）  
図１９は、本実施例の印刷装置１の概略斜視図である。なお、上記実施例１〜実施例３と共通する構成部材は同じ符号で示しており、詳細な説明は省略する。  
なお、本実施例の印刷装置１は、保持部１３の印刷装置１に対する取り付け位置（取り付け部１２の形成位置）以外は、実施例１の印刷装置１と同様の構成である。
【００４８】
図１９で表されるように、本実施例の印刷装置１は、媒体搬送部３の側面側端部に、保持部１３を取り付ける取り付け部１２（取り付け部１２ｄ）が形成されている。言い換えれば、印刷装置１における一方の側面に、保持部１３が取り付けられる構成である。このような構成であれば、枠部１０を保持部１３に保持させる際、側面側から作業を行うことができる。
【００４９】
なお、本発明は上記実施例に限定されることなく、特許請求の範囲に記載した発明の範囲内で種々の変形が可能であり、それらも本発明の範囲内に含まれることは言うまでもない。例えば、印刷装置１における両方の側面に保持部１３が取り付けられるようにしてもよい。また、媒体支持ユニット２の移動方向Ａにおける印刷装置１のセット位置側と反対側の端部に保持部１３を取り付けられるようにしてもよい。
【符号の説明】
【００５０】
１…印刷装置、２…媒体支持ユニット（支持部）、３…媒体搬送部、４…トレイ、
５…ステージ、６…キャリッジ、７…印刷ヘッド（印刷部）、８…支持面、
９…レバー、１０…枠部、１０ａ…枠部、１０ｂ…枠部、１０ｃ…枠部、
１０ｄ…枠部、１１…アーム部、１２…取り付け部、１２ａ…取り付け部、
１２ｂ…取り付け部、１２ｃ…取り付け部、１３…保持部、１４…屈曲部分、
１５…媒体受け部、１６…筐体部、１７…丸孔部、１８…溝部、１３１…第１部分、
１３２…第２部分、１３３…第３部分、１３４…屈曲部、１３５…直線部、
１３６…屈曲部、１３７…後端部、１４１…面、１４２…面、１６１…上面部
【図１】
2019064104.tif 000003
【図２】
2019064104.tif 000004
【図３】
2019064104.tif 000005
【図４】
2019064104.tif 000006
【図５】
2019064104.tif 000007
【図６】
2019064104.tif 000008
【図７】
2019064104.tif 000009
【図８】
2019064104.tif 000010
【図９】
2019064104.tif 000011
【図１０】
2019064104.tif 000012
【図１１】
2019064104.tif 000013
【図１２】
2019064104.tif 000014
【図１３】
2019064104.tif 000015
【図１４】
2019064104.tif 000016
【図１５】
2019064104.tif 000017
【図１６】
2019064104.tif 000018
【図１７】
2019064104.tif 000019
【図１８】
2019064104.tif 000020
【図１９】
2019064104.tif 000021